(57)【要約】【課題】従来ブロックの凹凸を合わせながら組み立てるブロック玩具ではブロックの凹面と凹面あるいは凸面と凸面とが対面しないように組み立てるのであるがブロックの凹面と凹面あるいは凸面と凸面とが対面するとその面ではブロックを直接合体して組み立てることは出来なかった。それを解決するためにはいろいろな種類のブロックを必要とした。又、ブロックの対面に凹、凸を設け凹、凸面を合わせながら組み立てるブロックがあった。しかし、そのようなブロックではブロックを合体して組み立てるのは凹、凸のある面に限定され他の凹、凸のない平面にブロックを直接組み立てることは出来なかった。【解決手段】本発明は凹、凸のあるブロックを組み立てる時にブロックの凹、凸部に合う凸、凹を両面に有する板をブロックの接合材として面に取り付けることにより、ブロック組立を多様化するブロック玩具にした。【選択図】図１
2007181588.tif 000002
【特許請求の範囲】
【請求項１】
矩形体ブロックの各面に凸部を設けたブロック面の凸部に板の両面にブロック面の凸部に合う凹部を設けた板をブロックの凸部に嵌めてブロックの接合材として使用する矩形体ブロックと板を対とするブロック玩具。
【請求項２】
矩形体ブロックの各面に凹部を設けたブロック面の凹部に板の両面にブロック面の凹部に合う凸部を設けた板をブロックの凹部に嵌めてブロックの接合材として使用する矩形体ブロックと板を対とするブロック玩具。
【発明の詳細な説明】
【技術分野】
【０００１】
本発明は矩形体ブロック面の凹部又は凸部と板の両面に設けた板の凸部又は凹部を嵌合して板を矩形体ブロックの接合材として使用するブロック玩具に関するものである。
【０００２】
矩形体ブロック一辺の長さと板の厚さの和を基準長さとしてブロック面に覆われた板の凸、凹部にブロックを継ぎ足して造形するブロック玩具に関するものである。
【背景技術】
【０００３】
従来はブロック面に設けられた凹、凸に他のブロックの凸、凹を合わせてブロックを組み立てる玩具があった。従来はブロック面の凹、凸を合わせる場合にはブロックの凹面と凹面あるいは凸面と凸面とが対面しないように組み立てるのであるがブロックの凹面と凹面あるいは凸面と凸面とが対面するとその面でブロックを嵌合して組み立てることは出来なかった。又ブロック面に設けた凹面と凸面を合わせるブロックではブロックの凹、凸の対面を避けるためのブロック面の凹、凸の組み合わせを考慮に入れていろいろな種類のブロックを揃えていた。（たとえば、特許文献１）  
【０００４】
従来の矩形体ブロックの対面に凹、凸部を設け他面は平面であるブロックの対面の凹、凸を合わせながら組み立てるブロックがあった。そのようなブロックではブロックを合わせることが出来るのは凹、凸のある面に限定され他の平面ではブロックを嵌合しながら組み立てることは出来なかった。（例えば非特許文献１）
【０００５】
【特許文献１】特開平０５−２７７２６２号公報
【非特許文献１】図１２に示す組み立てブロック
【発明の開示】
【発明が解決しようとする課題】
【０００６】
従来はブロック面に凹、又は凸を設けブロック同士の凹、又は凸を合わせながらブロックを取り付ける玩具があった、そのようなブロックではブロック面の凹面と凹面あるいは凸面と凸面とが対面しないように組み立てるのであるがブロック面の凹と凹、凸と凸が対面するとその面にブロックを取付が出来ないくブロック接合の制約があった。（例えば特許文献１）。又ブロック面の凹を設けた対面に凸を設け、凹、凸を合わせ組み立てるブロックでは凹、凸の設けられていない平面のブロック面に他のブロックを取り付け３次元方向への組立が出来なかった。（例えば非特許文献１）
【０００７】
本発明は凹、凸のある矩形体ブロックの凹と凹、凸と凸が対面することなく全ての面でブロックを合わせながら３次元方向への組み立て展開が出来て創造的な造形が楽しめる組み立てブロックを提供することを目的とするものである。
【課題を解決するための手段】
【０００８】
本発明は図１の様に矩形体ブロック面に凸部を設けたブロック１と板厚をブロックの凸部の高さＡの略２倍のＴとして、板の両面に凹部又は板を貫通する凹部を設けた板３をブロック１の全面に取り付ける。又は図４の様に矩形体ブロックの面に凹部を設けたブロック２に板の両面に矩形体ブロックの凹部に合う凸部を設けた板４をブロック２の全面に取り付けて板の凸部にブロック２の凹部を合わせて取り付ける。このようにしてブロック面を覆った板によってブロックの凹面、凸面は板を介して凸面、凹面となる。ブロックの凸と板の凹又はブロックの凹と板の凸を対とする組み合わせとすれば前述のようにブロック面の凹、凸は板を介して凹、凸が逆転するのでブロックはどの面にでも直接接合出来るようになる。
【０００９】
以上のようにしてブロック（１，２）の全面に設けた凸、凹に合う凹、凸を設けた接合材としての板（３、４）を凹、凸の対として取り付けることによってブロック面の凹と凹、又は凸と凸が合うことなくブロックのどの面にも他のブロックを取り付けることが出来て、創造的な造形体が出来るようにした。
【００１０】
本発明は立方体ブロックの１辺の長さ（Ｃ）と接合材の板の厚さＴの和を基準単位Ｍとして矩形体のブロック面に矩形体ブロックと板を継ぎ足して組み立てを展開する。
【発明の効果】
【００１１】
従来はブロック面の凹と凹、凸と凸が対面したり凹凸のない面に他のブロックを直接合体して取り付けることは出来なかった（特許文献１、非特許文献１）。本発明の組み立てブロックは従来のブロックのようにブロック面によっては他のブロックを直接合体して組み立てることが出来なかった欠点を改善し、ブロックとブロックの間には合体機能を有する板（３、４）を介在させることによりブロック同士の合体でなくブロック面の全ての面で板を介してブロックと板が合体出来るのでブロックのどの面においてもブロックを嵌合して組み立てることが出来る。
【００１２】
ブロック面には１カ所の凸に対し板には複数個の凹部を設けることによって多様にブロックの組み立てを展開することが出来る。例えば矩形体ブロック面の１カ所の凸に対し板には複数個の凹部を設けたのが板３であり、又ブロックと板が合体する断面を正三角形にしたのが図８、正８角形にしたのが図９、円にしたのが図１０等でブロックが合体する断面形状を変えることにより組み立ての多様化を図ることが出来る。
【００１３】
矩形体ブロックを樹脂等で作るときは図１１のＨ−Ｈ、Ｉ−Ｉを上下とする型で成型したり、又ブロック間の合体機能を有する板の凹部穴をプレス抜きにすることにより安価な玩具を作ることが出来る。
【００１４】
本発明は多種類の部品を揃えなくてもブロックの凸と板の凹、あるいはブロックの凹と板の凸の組み合わせを対とすることによりブロックと板の２つの部品で組み立てを展開して、創造的な造形が可能である。
【００１５】
ブロックと板の対の関係を保ちながら板の面積を広くする、又は板の形状を変えて板の上に設けた凹、凸にブロックを組み立て配置して造形することが出来る。
【発明を実施するための最良の形態】
【００１６】
本発明は請求項１による矩形体ブロックの各面に凸部を設け、板の両面に矩形体ブロックの凸部に合う凹部を設けた板を矩形体ブロックの各面に合体させると合体後の各面は板の凹面に覆われるので凸部を設けた矩形体ブロックはどの面にも合体接合が可能となり、矩形体ブロックの接合展開を広げることが出来る。 
【００１７】
本発明は請求項２による矩形体ブロックの各面に凹部を設け、板の両面に矩形体ブロックの凹部に合う凸部を設けた板を矩形体ブロックの各面に合体させると合体後の各面は板の凸面に覆われるので凹部を設けた矩形体ブロックはどの面にも合体接合が可能となり、矩形体ブロックの接合展開を広げることが出来る。 
【実施例】
【００１８】
以下、本発明の実施例を図１〜図１０に基づいて説明する。
【００１９】
矩形体ブロックの面の中央に凸部を有するブロックと板に凹部を有する板の斜視図が図１で図１を組み立てた図２のＸ−Ｘ断面が図３である。ブロックの組み立てはブロックの面方向にブロックの一辺の長さＣと板の厚さＴの和のMを基準長さとして組み立て展開が出来る。
【００２０】
矩形体ブロックの面の中央に凹部を有するブロックと板の中央に凸部を有する板の斜視図が図４で図４を組み立てたＹ−Ｙ断面が図５である。
【００２１】
ブロックの中心に凸部を有するブロックに対し、板に複数個の凹部を有する例として板の中心から１／２Ｍ、１／４Ｍの位置に凹部を設けた板を用いた場合のブロック取り付け位置を図７で示すと１１，１２，１３とすることが出来る。
【００２２】
ブロックと板の凹、凸断面を変えることによって合体するブロックの位置を変えてブロックの多様な組み立て展開が出来る。たとえば正三角形にすると図８のように組み立てるブロックの位置は２１，２２，２３のように変化させることが出来る。又、正８角形の場合は図９の３１，３２のようにブロック面で４５度ずらした位置に組み立てることが出来る。ブロックの凹、凸断面を円とすると図１０のように組み立てるブロック位置は凹、凸の嵌合部を中心とした３６０度の範囲で任意の位置に設定できる。
【００２３】
板の面積を広くしてブロックを合体した造形体を板の上に並べる。組み立てる過程で出来るブロックと板の隙間には造形体の補強材を入れたり、板の端部の形状を変えることによって隙間、空間を塞ぐことも出来る。
【００２４】
以上のように本発明は多種類の部品を揃えなくてもブロックと板が合体するブロックと板を対とした２種類の部品によって組み立て者の創造力を生かして造形を楽しむ玩具として活用できる。
【産業上の利用可能性】
【００２５】
本発明は矩形体ブロックの凹、凸に板の凸、凹を接合したときに矩形体ブロックの凹、凸面が板によって凸、凹に変わるのでブロックの凹、と板の凸を対とした組み合わせ、又は、ブロックの凸、と板の凹を対とした組み合わせによるそれぞれのブロックと板を対とする２つの部品でいろいろな造形を楽しむ玩具となる。
【図面の簡単な説明】
【００２６】
【図１】凸部を有するブロックと複数個の凹部を有する板を組み合わせた斜視図
【図２】１図を組み立てた斜視図
【図３】図２のＸ−Ｘ断面図
【図４】凹部を有するブロック２と凸部を有する板４の組み合わせ斜視図
【図５】図４を組み立てたＹ−Ｙ断面図
【図６】複数個の凹部を有する板３の平面図
【図７】板３の上にブロック１を組み立てた場合のブロック位置関係図
【図８】凹、凸部の断面が正三角形の場合の組み立て関係図
【図９】凹、凸部の断面が正８角形の場合の組み立て関係図
【図１０】凹、凸部の断面が円の場合の組み立て関係図
【図１１】ブロック製作時の成型事例
【図１２】非特許文献１の斜視図
【符号の説明】
【００２７】
１：矩形体ブロック面の中央に円筒状の凸部を有するブロック
２：矩形体ブロック面の中央に円筒状の凹部を有するブロック
３：矩形体ブロック面と同型の凹部をもつ板
４：矩形体ブロック面と同型の板の中央に凸部をもつ板
５：従来の矩形体ブロック
１１：１２：１３：板３にブロック１を組み立てたブロック位置関係図
２１：２２：２３：ブロックと板の凹、凸断面が正三角形の場合のブロック位置関係図  ３１：３２：ブロックと板の凹、凸断面が正８角形の場合のブロック位置関係図
Ａ：ブロック面の凸のたかさ
Ｂ：ブロック面の凹の深さ
Ｃ：ブロック辺の長さ
【図１】
2007181588.tif 000003
【図２】
2007181588.tif 000004
【図３】
2007181588.tif 000005
【図４】
2007181588.tif 000006
【図５】
2007181588.tif 000007
【図６】
2007181588.tif 000008
【図７】
2007181588.tif 000009
【図８】
2007181588.tif 000010
【図９】
2007181588.tif 000011
【図１０】
2007181588.tif 000012
【図１１】
2007181588.tif 000013
【図１２】
2007181588.tif 000014
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
立方体ブロックの各面に凸部を設けたブロックとブロック面の凸部に合う凹部を板の両面に設けた板を対とした２つの部品を接合し、ブロックの一辺の長さと板の厚さの和を基準単位長さとして接合するブロック玩具。
【請求項２】
立方体ブロックの各面に凹部を設けたブロックとブロック面の凹部に合う凸部を板の両面に設けた板を対とした２つの部品を接合し、ブロックの一辺の長さと板の厚さの和を基準単位長さとして接合するブロック玩具。